(57)【特許請求の範囲】
【請求項１】
フレキシブルな液晶表示パネルと、
前記液晶表示パネルを収納する収納部と、を含み、
前記収納部は、下部面、下部面から連結された側面、及び側面から連結された上部固定端を含む一体型構造であるとともに、内部に硬質材料で構成される固定フレームを含み、
前記液晶表示パネルは前記下部面と前記上部固定端との間に収納され、
前記収納部は曲げられる弾性を有する部材で形成される液晶表示装置。
【請求項２】
前記上部固定端が前記液晶表示パネルと接触する面に固定突起が形成され、前記固定突起は摩擦力の高い材料から形成される請求項１に記載の液晶表示装置。
【請求項３】
前記固定フレームは収納部の一部領域のみに形成される請求項１に記載の液晶表示装置。
【請求項４】
前記固定フレームは、前記収納部の横方向または縦方向の一方のみに形成されるか、または前記収納部の横方向及び縦方向の両方に形成される請求項１に記載の液晶表示装置。
【請求項５】
前記収納部は四角形の形状であり、
前記収納部の上部固定端の側面及び外側の側面に沿って形成された補強部を含む請求項１に記載の液晶表示装置。
【請求項６】
前記収納部の下部面には外部に露出した静電気防止部が含まれており、
前記静電気防止部は導電性材料からなる請求項１に記載の液晶表示装置。
【請求項７】
前記静電気防止部は前記下部面の一方向に配列された複数の線状に形成される請求項６に記載の液晶表示装置。
【請求項８】
前記静電気防止部は前記下部面に格子状に形成される請求項６に記載の液晶表示装置。
【請求項９】
前記液晶表示パネルは、
複数の画素行と複数の画素列を含むマトリックス状に配置されている複数の画素領域を含む基板と、
前記基板上に形成されている薄膜トランジスタと、
前記薄膜トランジスタに連結されて前記画素領域に形成されている画素電極と、
前記画素電極上に前記画素電極と微細空間を介して離隔するように形成されている共通電極と、
前記共通電極上に形成されている屋根層と、
前記微細空間の一部を露出させるように前記共通電極及び前記屋根層に形成されている液晶注入口と、
前記微細空間を満たしている液晶層と、
前記液晶注入口を覆うように前記屋根層上に形成されて前記微細空間を密封する蓋膜と、を含む請求項１に記載の液晶表示装置。
【発明の詳細な説明】
【技術分野】
【０００１】
本発明は、液晶表示装置に関する。
【背景技術】
【０００２】
近来、急速に発展している半導体技術を中心として、小型及び軽量化と共に性能がさらに向上した液晶表示装置の需要が爆発的に増加している。
【０００３】
近来脚光を浴びている液晶表示装置（ｌｉｑｕｉｄ  ｃｒｙｓｔａｌ  ｄｉｓｐｌａｙ、ＬＣＤ）は、小型化、軽量化及び低電力消費化などの利点を持っていて、従来のブラウン管（ＣＲＴ、ｃａｔｈｏｄｅ  ｒａｙ  ｔｕｂｅ）の短所を克服できる代替手段として次第に注目されるようになっており、現在はディスプレイ装置が必要なすべての情報処理機器に装着されて使用されている。
【０００４】
一般的な液晶表示装置は、液晶の特定の分子配列に電圧を印加して異なる分子配列へ変換させ、このような分子配列により発光する液晶セルの複屈折性、旋光性、２色性及び光散乱特性などの光学的性質の変化を視覚変化へ変換することで、液晶セルによる光の変調を利用して情報を表示する受光型ディスプレイ装置である。
【０００５】
液晶表示装置は、液晶表示パネル、およびこれを収納するフレームで構成される。フレームは、通常、液晶表示パネルの下面及び側面を固定させるボトムシャーシ、及び液晶表示パネルの上面を固定させるトップシャーシを含む。このようなフレームは、液晶表示パネルを固定するために硬質材料で製造されるのが一般的である。
【発明の概要】
【発明が解決しようとする課題】
【０００６】
本発明の目的は、トップシャーシとボトムシャーシが一体型構造になり、曲げられる軟質材料で製造された液晶表示パネル収納部及びフレキシブルな液晶表示パネルを含む液晶表示装置を提供することにある。
【課題を解決するための手段】
【０００７】
上記の目的を達成するために、本発明の実施形態による液晶表示装置は、フレキシブルな液晶表示パネルと、前記液晶表示パネルを収納する収納部と、を含み、前記収納部は下部面、下部面から連結された側面、及び側面から連結された上部固定端を含む一体型構造であり、前記液晶表示パネルは前記下部面と前記上部固定端との間に収納され、前記収納部は曲げられる弾性を有する部材で形成される。
【０００８】
前記上部固定端が前記液晶表示パネルと接触する面に固定突起が形成され、前記固定突起は摩擦力の高い材料から形成されてもよい。
【０００９】
前記収納部は内部に形成された固定フレームを含み、前記固定フレームは硬質材料から形成されてもよい。
【００１０】
固定フレームは収納部の一部領域のみに形成されてもよい。
【００１１】
前記固定フレームは、前記収納部の横方向または縦方向のいずれか一方のみに形成されるか、または前記収納部の横方向及び縦方向の両方に形成されてもよい。
【００１２】
前記収納部は四角形の形状であり、前記収納部の上部固定端の側面及び外側の側面に沿って形成された補強部を含んでもよい。
【００１３】
前記収納部の下部面には外部に露出した静電気防止部が含まれており、前記静電気防止部は導電性材料から形成されてもよい。
【００１４】
前記静電気防止部は、前記下部面の一方向に配列された複数の線状に形成されてもよい。
【００１５】
前記静電気防止部は前記下部面に格子状に形成されてもよい。
【００１６】
前記液晶表示パネルは、複数の画素行と複数の画素列を含むマトリックス状に配置されている複数の画素領域を含む基板と、前記基板上に形成されている薄膜トランジスタと、前記薄膜トランジスタに連結されて前記画素領域に形成されている画素電極と、前記画素電極上に前記画素電極と微細空間を介して離隔するように形成されている共通電極と、前記共通電極上に形成されている屋根層と、前記微細空間の一部を露出させるように前記共通電極及び前記屋根層に形成されている液晶注入口と、前記微細空間を満たしている液晶層と、前記液晶注入口を覆うように前記屋根層上に形成されて前記微細空間を密封する蓋膜と、を含んでもよい。
【発明の効果】
【００１７】
以上のように、本発明の液晶表示装置は、収納部が一体型構造になっており、弾性を有する部材で形成されている。これにより、収納部の内部にフレキシブルな液晶表示パネルを収納した後も、曲げられることが可能な液晶表示装置を実現することができる。
【図面の簡単な説明】
【００１８】
【図１】本発明の一実施形態による液晶表示装置の断面を簡略に示す図面である。
【図２Ａ】本発明の液晶表示装置の収納部４００を上部から見た断面図である。
【図２Ｂ】本発明の液晶表示装置の収納部における内部固定フレーム５００を示す図面である。
【図３】図２の収納部のＩＩＩ−ＩＩＩ線に沿った断面図である。
【図４】図２の収納部のＩＶ−ＩＶ線に沿った断面図である。
【図５】本発明の一実施形態による液晶表示装置の断面を示す図面である。
【図６】本発明の他の実施形態による収納部を示す図面である。
【図７】図６の収納部のＶＩＩ−ＶＩＩ線に沿った断面図である。
【図８】本発明の他の実施形態による収納部を示す図面である。
【図９】図８の収納部のＩＸ−ＩＸ線に沿った断面図である。
【図１０】本発明の一実施形態による液晶表示装置の収納部の下部面を示す図面である。
【図１１】図１０の実施形態による収納部において図３と同一の断面を示す図面である。
【図１２】本発明の他の実施形態による液晶表示装置の収納部の下部面を示す図面である。
【図１３】図１２において点線で表した領域を拡大して示す図面である。
【図１４Ａ】本発明の一実施形態による収納部に液晶表示パネルを収納する方法を簡略に示す図面である。
【図１４Ｂ】本発明の一実施形態による収納部に液晶表示パネルを収納する方法を簡略に示す図面である。
【図１４Ｃ】本発明の一実施形態による収納部に液晶表示パネルを収納する方法を簡略に示す図面である。
【図１５Ａ】本発明の比較例による液晶表示装置において収納部に液晶表示パネルを収納する過程を簡略に示す図面である。
【図１５Ｂ】本発明の比較例による液晶表示装置において収納部に液晶表示パネルを収納する過程を簡略に示す図面である。
【図１５Ｃ】本発明の比較例による液晶表示装置において収納部に液晶表示パネルを収納する過程を簡略に示す図面である。
【図１６】本発明の一実施形態による表示パネルを示す平面図である。
【図１７】本発明の一実施形態による表示パネルの一画素を示す平面図である。
【図１８】図１６のＸＶＩＩＩ−ＸＶＩＩＩ線に沿った本発明の一実施形態による表示パネルの一部を示す断面図である。
【図１９】図１６のＸＩＸ−ＸＩＸ線に沿った本発明の一実施形態による表示装置の一部を示す断面図である。
【発明を実施するための形態】
【００１９】
添付した図面を参照して、本発明の実施形態について発明が属する技術分野における通常の知識を有する者が容易に実施できるように詳細に説明する。しかし、本発明は、種々の異なる形態に具現されることができ、ここで説明する実施形態に限られない。
【００２０】
図面において、種々の層及び領域を明確に表現するために厚さを拡大して示した。明細書の全体にわたって類似する部分に対しては同一の図面符号を付けた。層、膜、領域、板などの部分が他の部分の「上」にあると表現されるとき、これは他の部分の「すぐ上」にある場合だけでなく、その中間に他の部分がある場合も含む。一方、ある部分が他の部分の「すぐ上」にあると表現される場合には、中間に他の部分がないことを意味する。
【００２１】
以下、本発明の実施形態による液晶表示装置について、図面を参照して詳細に説明する。
図１は、本発明の一実施形態による液晶表示装置の断面を簡略に示す図面である。図１を参照すると、本発明の一実施形態による液晶表示装置は、液晶表示パネル１００、及びこれを固定し、収納する収納部４００で構成されている。
【００２２】
液晶表示パネル１００は曲げられる。液晶表示パネル１００は単一基板で形成され、単一基板上に形成された液晶が満たされた微細空間を含んでもよい。液晶表示パネル１００の具体的な構造に対しては後述する。
【００２３】
収納部４００は、曲げられる軟質材料で製造されている。収納部４００は、弾性を有する材料であれば制限なしに使用可能である。収納部４００の材料としては通常の高分子物質を使用することができる。また、柔軟な金属で形成することも可能である。つまり、収納部４００は一定範囲まで曲がる材料であれば制限なしに使用可能である。
【００２４】
図１に示すように、収納部４００は、内部に液晶表示パネル１００を固定できる空間を有する一体型に形成されている。つまり、収納部４００は、板形態の下部面、下部面から連結された側面、及び側面から連結された上部固定端を含む。
【００２５】
上部固定端は液晶表示パネルを固定するための十分な長さに形成されており、下部面及び上部固定端の間に液晶表示パネルが収納、固定されるようになる。
【００２６】
また、上部固定端の下部面、下側の上部固定端が液晶表示パネルと接触する面には固定突起４１０が形成されている。以降詳細に説明するが、このような固定突起４１０は摩擦力の高い材料からなり、これによって液晶表示パネル１００を固定することができる。
【００２７】
収納部４００は軟質材料で製造されており、したがって形態保持のために内部に固定フレーム５００を含んでもよい。固定フレーム５００は、図１に示すように、軟質材料からなる収納部の内側に形成されて、収納部４００の形状を保持する役割を果たす。このような固定フレーム５００（固定部）は収納部４００の材料内部に含まれて、外で視認されないこともある。このような固定フレーム５００は収納部４００の全体に形成されてもよいが、収納部４００の弾性維持のために一部領域のみに形成されてもよい。具体的な形成形態に対しては後述する。
【００２８】
以下、先ず、収納部４００について説明する。図２Ａは、本発明の液晶表示装置の収納部４００を上部から見た断面図である。図２Ｂは、本発明の液晶表示装置の収納部における内部の固定フレーム５００を示す図面である。
【００２９】
図２に示すように、収納部４００は、短い上部面（＝上部固定端）、側面、及び下部面が連結された形態に形成されている。図２Ｂを参照すると、収納部４００内部には複数の固定フレーム５００が形成されている。図２Ｂでは固定フレーム５００が左右及び上下方向に全て形成された形態を示しているが、このような固定フレーム５００は左右または上下方向のいずれか一方のみに形成されてもよい。
【００３０】
図２Ｂでは固定フレーム５００の形成位置を概念的に示しているが、実際に固定フレーム５００は、図１に示すように、軟質の収納部４００の内部に位置して外から見られなくてもよい。
【００３１】
固定フレーム５００の形成個数は適切に調節することができる。固定フレーム５００は、硬質材料であれば制限なしに使用可能である。つまり、固定フレームは、金属または硬質のセラミック材料または硬質のプラスチックも使用可能である。本発明の一実施形態において固定フレームは金属ワイヤーであってもよい。
【００３２】
図３は、図２の収納部のＩＩＩ−ＩＩＩ線に沿った断面図である。図４は、図２の収納部のＩＶ−ＩＶ線に沿った断面図である。
【００３３】
図２及び図３を参照すると、本発明の収納部は、下部面、側面及び上部面が連結された一体型構造に形成されており、内部に固定フレーム５００が存在する。図３は、固定フレーム５００が形成された断面を示しているが、図２の他の断面の場合、固定フレーム５００が形成されていなくてもよい。
【００３４】
図３を参照すると、収納部は軟質材料からなり、内部に硬質の固定フレーム５００が形成され、収納部の上部固定端には固定突起４１０が形成されている。
【００３５】
このような固定突起４１０は、以降、液晶表示パネル１００が収納される場合、液晶表示パネル１００を固定する役割を果たす。したがって、固定突起４１０は摩擦力の高い材料から形成されてもよい。固定突起４１０に用いられる材料は摩擦力の高い材料であれば制限なしに使用可能である。固定突起４１０は収納部４００に別に付着していてもよく、または収納部４００の一部が固定突起４１０を構成してもよい。つまり、収納部４００と固定突起４１０とは連結された一体型構造であってもよい。
【００３６】
固定突起４１０は、固定力の増加のために終端の面積が狭くてもよい。つまり、図３に示すように、三角形の形状を有してもよいが、形状は制限されない。
【００３７】
固定突起４１０は上部固定端の全体に沿って連結された四角形の環状に形成されてもよく、上部固定端の一部領域のみに島状に形成されてもよい。固定突起４１０は、収納部４００の左右側面のみに配置されるか、上下側面のみに選択的に配置されてもよい。また、固定突起４１０は、収納部４００の４つの角部のみに配置されてもよい。固定突起４１０の形成位置及び個数は当業者によって適切に調節可能である。
【００３８】
図４は、図２の収納部のＩＶ−ＩＶ線に沿った断面図である。図４の断面の場合、収納部の一面に開口部４２０が形成されている。また、開口部４２０の下部には第２収納部４３０が形成されている。開口部４２０は、収納部４００の四側面のいずれに形成されてもよく、一側面の一部領域のみに形成されてもよい。
【００３９】
このような開口部４２０は、液晶表示パネルとＰＣＢを連結する配線が抜け出られる通路として用いられることができる。つまり、第２収納部４３０にはＰＣＢ１５０が収納され、収納されたＰＣＢと液晶表示パネル１００は開口部４２０を通じて配線により連結されてもよい。
【００４０】
図５は、本発明の一実施形態による液晶表示装置の断面を示す図面である。図５を参照すると、収納部４００の中に液晶表示パネル１００が収納され、第２収納部４３０にはＰＣＢ１５０が収納されている。液晶表示パネル１００とＰＣＢ１５０は収納部４００に形成された開口部４２０を通じて配線により連結されている。
【００４１】
以下、図６乃至図１３を参照して、本発明の一実施形態による液晶表示装置について説明する。図６は、本発明の他の実施形態による収納部を示す図面であり、図７は、図６の収納部のＶＩＩ−ＶＩＩ線に沿った断面図である。
【００４２】
図６及び図７を参照すると、本実施形態による液晶表示装置の収納部４００は、収納部の外側周縁及び内側周縁に補強部５１０ａ、５１０ｂが形成されている。このような補強部は硬質材料からなり、軟質材料からなる収納部４００の構造を補強することができる。
【００４３】
本発明の一実施形態において、補強部５１０ａ、５１０ｂは金属から形成されてもよい。または補強部５１０ａ、５１０ｂは軽質のプラスチック材料から形成されてもよい。
【００４４】
図６及び図７に示すように、内側補強部５１０ａは収納部４００の上部固定端の側面に形成されている。このような内側補強部５１０は、図６に示すように、収納部の上部固定端の周縁に沿って形成されてもよい。
【００４５】
また、外側補強部５１０ｂは、図６及び図７に示すように、収納部４００の外側側面に沿って形成されてもよい。外側補強部５１０ｂは、図６に示すように、収納部４００の外郭側面周縁に沿って形成されてもよく、このとき、外側補強部５１０ｂは、図７に示すように、収納部４００の側面と同一の高さに形成されてもよい。
【００４６】
このような内側補強部５１０ａ及び外側補強部５１０ｂは収納部４００に付着していてもよい。このような内側補強部５１０ａ及び外側補強部５１０ｂは、二つのいずれか一つのみ形成されてもよい。つまり、内側補強部５１０ａのみ形成されるか、または外側補強部５１０ｂのみ形成される構造も可能である。このような内側補強部５１０ａ及び外側補強部５１０ｂは、内部の固定フレーム５００と同一の物質から形成されてもよい。
【００４７】
図８は、本発明の他の実施形態による収納部を示す図面である。図８の実施形態による液晶表示装置の収納部は、収納部の角部に角部補強部５２０が形成されている。角部補強部５２０は、図８に示すように、収納部４００の四角部に形成されてもよい。
【００４８】
図９は、図８の収納部のＩＸ−ＩＸ線に沿った断面図である。図９を参照すると、角部補強部５２０は、収納部の上部固定部、側面及び下部面を全て取り囲む形態に形成されている。つまり、図９に示すように、角部補強部５２０は、収納部の上部固定部、側面及び下部面を全て取り囲んで、軟質からなる収納部の形態を保持する。
【００４９】
このような角部補強部５２０は硬質材料から形成されてもよい。つまり、角部補強部５２０は金属または強化プラスチックから形成されてもよい。このような角部補強部５２０は内部の固定フレーム５００と同一の物質から形成されてもよい。
【００５０】
図１０は、本発明の一実施形態による液晶表示装置の収納部の下部面を示す図面である。図１１は、図１０の実施形態による収納部において図３と同一の断面を示す図面である。
【００５１】
図１０の実施形態による収納部は、下部に形成された静電気防止部５３０を含む。図１０を参照すると、静電気防止部５３０は収納部の下部底面に複数の直線状に形成されてもよい。つまり、静電気防止部５３０は収納部の下部底面に露出されている。
【００５２】
このような静電気防止部５３０は導電性材料から形成されるのが好ましい。静電気防止部５３０は導電性の高い材料から形成されており、収納部の外部に露出されて、外部から流入する静電気を放電させる。
【００５３】
図１１は、図１０の実施形態による収納部の断面を示す図面である。図１１を参照すると、静電気防止部５３０は下部収納部の下部面に露出されている。
【００５４】
このとき、固定フレーム５００と静電気防止部５３０は同一の物質から形成されてもよい。好ましくは、固定フレーム５００と静電気防止部５３０は金属ワイヤーで形成されてもよい。
【００５５】
静電気防止部５３０は静電気を放電させる役割を果たすだけでなく、下部面に位置して軟質からなる収納部の構造を支持する役割も遂行する。
【００５６】
図１２は、本発明の他の実施形態による液晶表示装置の収納部の下部面を示す図面である。図１２の実施形態による収納部は、図１０による実施形態の収納部と構成要素の大部分が類似している。類似する構成要素に対する具体的な説明は省略する。
【００５７】
しかし、図１２を参照すると、本実施形態による液晶表示装置の収納部は、静電気防止部５３０が格子状に形成されている。つまり、横方向の静電気防止部５３０及び縦方向の静電気防止部５３１が収納部の下部面に格子状に形成され露出されている。
【００５８】
したがって、格子状の静電気防止部によって外部から流入する静電気をさらに効果的に放電させることができる。
【００５９】
また、静電気防止部５３０は導電性を有する金属などから形成されてもよく、軟質からなる収納部の底面を支持する役割も遂行することができる。
【００６０】
図１３は、図１２において点線で表示した領域を拡大して示す図面である。図１３を参照すると、横方向の静電気防止部５３０と縦方向の静電気防止部５３１とが交差する地点ごとに円形の静電気防止部５３２が形成されていてもよい。このように交差点に円形の静電気防止部５３２が形成されることによって、静電気をさらに効果的に放電させることができる。また、収納部の構造をさらによく支持することができる。
【００６１】
このような横方向の静電気防止部５３０、縦方向の静電気防止部５３１、及び円形の静電気防止部５３２は、全て同一の物質から形成されてもよい。
【００６２】
このように本発明の液晶表示装置の収納部は、曲げられる軟質材料からなる収納部、及び収納部の内部に形成されて構造を支持する固定フレーム５００を含んでおり、収納部がボトムシャーシとトップシャーシを全て含む一体型に形成されている。したがって、収納部は柔軟に曲がりながらも形態を保持することができ、内部にフレキシブルな液晶表示パネルを収納した後曲がることができる。また、ボトムシャーシとトップシャーシが一体型に形成されているので、構造を簡素化することができる。
【００６３】
図１４は、本発明の一実施形態による収納部に液晶表示パネルを収納する方法を簡略に示す図面である。図１４Ａを参照すると、液晶表示パネル１００と収納部４００が形成されている。このとき、収納部４００の内部空間より収納部の入口空間がさらに狭い。これは、収納部の上部に内部の液晶表示パネル１００を固定するための上部固定端が位置するためである。
【００６４】
しかし、図１４Ｂに示すように、収納部４００は軟質材料から形成されているため左右に曲がる。このような曲がることによって収納部４００の入口空間が広くなり、液晶表示パネル１００を収納部の内側に入れる。
【００６５】
次に、図１４Ｃに示すように、収納部４００の中に液晶表示パネル１００が固定され、収納部の上部固定端の固定突起４１０によって液晶表示パネル１００が固定される。
【００６６】
上述した通り、液晶表示パネル１００はフレキシブルな液晶表示パネルである。したがって前記曲げられる軟質の収納部にフレキシブルな液晶表示パネルが収納されて形成された液晶表示装置も曲がることができる。
【００６７】
従来には液晶表示パネル１００が曲がっても収納部が曲がらないため、曲がる液晶表示装置を実現するのが困難であった。しかし、本発明の液晶表示装置は、収納部が曲げられる軟質材料から形成されて、液晶表示装置が曲げられる。
【００６８】
図１５は、本発明の比較例による液晶表示装置において収納部に液晶表示パネルを収納する過程を簡略に示す図面である。図１５Ａを参照すると、本発明比較例による液晶表示装置は、液晶表示パネル１００、トップシャーシ６２０、及びボトムシャーシ６１０を含む。
【００６９】
つまり、本発明の比較例による液晶表示装置の収納部は、液晶表示パネル１００を収納するボトムシャーシ６１０、及び液晶表示パネルを固定するトップシャーシ６２０を含む。このようなトップシャーシ６２０及びボトムシャーシ６１０は構造を保持するように硬質材料から形成されている。
【００７０】
図１５Ｂを参照すると、ボトムシャーシ内部６１０に液晶表示パネル１００を収納し、液晶表示パネル１００が収納されたボトムシャーシ上部６１０にトップシャーシ６２０を結合させる。
【００７１】
したがって、図１５Ｃに示すように液晶表示装置が完成される。つまり、本発明の比較例による液晶表示装置の場合、収納部がボトムシャーシとトップシャーシに分離されていて、液晶表示パネルを収納した後、ボトムシャーシとトップシャーシを結合する工程が必要である。
【００７２】
また、本発明の比較例による液晶表示装置の収納部は硬質材料から形成されるため、液晶表示パネル１００が曲げられるとしても収納部が曲がらないので、フレキシブルな液晶表示装置を実現できない。
【００７３】
しかし、図１４に説明した通り、本発明の実施形態による液晶表示装置は、収納部が軟質材料から形成されて曲がるので、液晶表示装置も曲げられる。また、本発明の一実施形態による収納部は、トップシャーシとボトムシャーシを全て含む一体型になっているので、工程を単純化することができる。また、収納部の内部には硬質の固定フレームが含まれて構造を保持させ、収納部の周縁辺または角部には補強部が形成されて構造を補強することができる。
【００７４】
それでは、以下、本発明の液晶表示装置の液晶表示パネル１００について説明する。本発明の液晶表示パネル１００は、フレキシブルな液晶表示パネル１００であれば制限なしに使用可能である。本発明の一実施形態により前記収納部に適用可能な液晶表示パネル１００の一例について説明する。
【００７５】
図１６は、本発明の一実施形態による表示パネルを示す平面図であり、便宜上、図１には一部構成要素のみが示されている。本発明の一実施形態による表示装置は、ガラスまたはプラスチックなどのような材料からなる基板１１０、及び基板１１０の上に形成されている屋根層３６０(roof layers)を含む。
【００７６】
基板１１０は複数の画素領域ＰＸを含む。複数の画素領域ＰＸは、複数の画素行と複数の画素列を含むマトリックス状に配置されている。各画素領域ＰＸは、第１副画素領域ＰＸａ及び第２副画素領域ＰＸｂを含んでもよい。第１副画素領域ＰＸａ及び第２副画素領域ＰＸｂは上下に配置されてもよい。
【００７７】
第１副画素領域ＰＸａと第２副画素領域ＰＸｂとの間には画素行方向に沿って第１谷間Ｖ１が位置しており、複数の画素列の間には第２谷間Ｖ２が位置している。
【００７８】
屋根層３６０は画素行方向に形成されている。このとき、第１谷間Ｖ１では屋根層３６０が除去されて、屋根層３６０の下に位置する構成要素が外部に露出するように注入口３０７が形成されている。
【００７９】
各屋根層３６０は、隣接した第２谷間Ｖ２の間で基板１１０から離れて形成されることによって、微細空間３０５が形成される。また、各屋根層３６０は、第２谷間Ｖ２では基板１１０に付着するように形成されることによって、微細空間３０５の両側面を覆うようにする。
【００８０】
上述した本発明の一実施形態による表示装置の構造は例示に過ぎず、多様な変形が可能である。例えば、画素領域ＰＸ、第１谷間Ｖ１、及び第２谷間Ｖ２の配置形態の変更が可能であり、複数の屋根層３６０は第１谷間Ｖ１で互いに連結されてもよく、各屋根層３６０の一部は第２谷間Ｖ２で基板１１０から離れて形成されることによって、隣接した微細空間３０５が互いに連結されてもよい。
【００８１】
次に、図１６乃至図１９を参照して、本発明の一実施形態による表示パネルの一画素について説明する。
【００８２】
図１７は、本発明の一実施形態による表示パネルの一画素を示す平面図であり、図１８は、図１６のＸＶＩＩＩ−ＸＶＩＩＩ線に沿った本発明の一実施形態による表示パネルの一部を示す断面図であり、図１９は、図１６のＸＩＸ−ＸＩＸ線に沿った本発明の一実施形態による表示装置の一部を示す断面図である。
【００８３】
図１６乃至図１９を参照すると、基板１１０の上に複数のゲート線１２１、複数の減圧ゲート線１２３(ｒｅｄｕｃｉｎｇ  ｇａｔｅ  ｌｉｎｅ)、及び複数の維持電極線１３１を含む複数のゲート導電体が形成されている。
【００８４】
ゲート線１２１及び減圧ゲート線１２３は、主に横方向に延在して、ゲート信号を伝達する。ゲート導電体は、ゲート線１２１から上下に突出した第１ゲート電極１２４ｈ及び第２ゲート電極１２４ｌをさらに含み、減圧ゲート線１２３から上に突出した第３ゲート電極１２４ｃをさらに含む。第１ゲート電極１２４ｈ及び第２ゲート電極１２４ｌは互いに連結されて一つの突出部を形成する。このとき、第１、第２、及び第３ゲート電極（１２４ｈ、１２４ｌ、１２４ｃ）の突出形態は変更可能である。
【００８５】
維持電極線１３１も主に横方向に延在して、共通電圧Ｖｃｏｍなどの定められた電圧を伝達する。維持電極線１３１は、上下に突出した維持電極１２９、ゲート線１２１と実質的に垂直に下に延在した一対の縦部１３４、及び一対の縦部１３４の終端を互いに連結する横部１２７を含む。横部１２７は下に拡張された容量電極１３７を含む。
【００８６】
ゲート導電体１２１、１２３、１２４ｈ、１２４ｌ、１２４ｃ、１３１の上にはゲート絶縁膜（ｇａｔｅ  ｉｎｓｕｌａｔｉｎｇ  ｌａｙｅｒ）１４０が形成されている。ゲート絶縁膜１４０は、シリコン窒化物（ＳｉＮｘ）、シリコン酸化物（ＳｉＯｘ）などのような無機絶縁物質から形成されてもよい。また、ゲート絶縁膜１４０は単一膜または多重膜で形成されてもよい。
【００８７】
ゲート絶縁膜１４０の上には第１半導体１５４ｈ、第２半導体１５４ｌ、及び第３半導体１５４ｃが形成されている。第１半導体１５４ｈは、第１ゲート電極１２４ｈの上に位置し、第２半導体１５４ｌは第２ゲート電極１２４ｌの上に位置し、第３半導体１５４ｃは第３ゲート電極１２４ｃの上に位置してもよい。第１半導体１５４ｈと第２半導体１５４ｌは互いに連結されてもよく、第２半導体１５４ｌと第３半導体１５４ｃも互いに連結され得る。また、第１半導体１５４ｈはデータ線１７１の下まで延長されて形成されてもよい。第１乃至第３半導体（１５４ｈ、１５４ｌ、１５４ｃ）は非晶質シリコン（ａｍｏｒｐｈｏｕｓ  ｓｉｌｉｃｏｎ）、多結晶シリコン（ｐｏｌｙｃｒｙｓｔａｌｌｉｎｅ  ｓｉｌｉｃｏｎ）、金属酸化物（ｍｅｔａｌ  ｏｘｉｄｅ）などで形成されてもよい。
【００８８】
第１乃至第３半導体（１５４ｈ、１５４ｌ、１５４ｃ）の上にはそれぞれオーミックコンタクト部材（ｏｈｍｉｃ  ｃｏｎｔａｃｔ）（図示せず）がさらに形成されてもよい。オーミックコンタクト部材は、シリサイド（ｓｉｌｉｃｉｄｅ）またはｎ型不純物が高濃度にドーピングされているｎ＋水素化非晶質シリコンなどの物質で形成されてもよい。
【００８９】
第１乃至第３半導体（１５４ｈ、１５４ｌ、１５４ｃ）の上にはデータ線（ｄａｔａ  ｌｉｎｅ）１７１、第１ソース電極１７３ｈ、第２ソース電極１７３ｌ、第３ソース電極１７３ｃ、第１ドレイン電極１７５ｈ、第２ドレイン電極１７５ｌ、及び第３ドレイン電極１７５ｃを含むデータ導電体が形成されている。
【００９０】
データ線１７１は、データ信号を伝達し、主に縦方向に延在してゲート線１２１及び減圧ゲート線１２３と交差する。各データ線１７１は第１ゲート電極１２４ｈ及び第２ゲート電極１２４ｌに向かって延在し、互いに連結されている第１ソース電極１７３ｈ及び第２ソース電極１７３ｌを含む。
【００９１】
第１ドレイン電極１７５ｈ、第２ドレイン電極１７５ｌ、及び第３ドレイン電極１７５ｃは、広い一端部と、棒状の他端部とを含む。第１ドレイン電極１７５ｈ及び第２ドレイン電極１７５ｌの棒状の端部は、第１ソース電極１７３ｈ及び第２ソース電極１７３ｌにより一部が取り囲まれている。第２ドレイン電極１７５ｌの広い一端部はさらに延長されて、「Ｕ」字状に曲がった第３ソース電極１７３ｃを形成する。第３ドレイン電極１７５ｃの広い端部１７７ｃは容量電極１３７と重なって減圧キャパシタＣｓｔｄを形成し、棒状の端部は第３ソース電極１７３ｃにより一部が取り囲まれている。
【００９２】
第１ゲート電極１２４ｈ、第１ソース電極１７３ｈ、及び第１ドレイン電極１７５ｈは、第１半導体１５４ｈと共に第１薄膜トランジスタＱを形成し、第２ゲート電極１２４ｌ、第２ソース電極１７３ｌ、及び第２ドレイン電極１７５ｌは、第２半導体１５４ｌと共に第２薄膜トランジスタＱｌを形成し、第３ゲート電極１２４ｃ、第３ソース電極１７３ｃ、及び第３ドレイン電極１７５ｃは、第３半導体１５４ｃと共に第３薄膜トランジスタＱｃを形成する。
【００９３】
第１半導体１５４ｈ、第２半導体１５４ｌ、及び第３半導体１５４ｃは互いに連結されて線状になってもよく、ソース電極１７３ｈ、１７３ｌ、１７３ｃとドレイン電極１７５ｈ、１７５ｌ、１７５ｃとの間のチャネル領域を除いては、データ導電体１７１、１７３ｈ、１７３ｌ、１７３ｃ、１７５ｈ、１７５ｌ、１７５ｃ及びその下部のオーミックコンタクト部材と実質的に同一の平面形状を有してもよい。
【００９４】
第１半導体１５４ｈには、第１ソース電極１７３ｈと第１ドレイン電極１７５ｈとの間で第１ソース電極１７３ｈ及び第１ドレイン電極１７５ｈにより覆われずに露出した部分があり、第２半導体１５４ｌには、第２ソース電極１７３ｌと第２ドレイン電極１７５ｌとの間で第２ソース電極１７３ｌ及び第２ドレイン電極１７５ｌにより覆われずに露出した部分があり、第３半導体１５４ｃには、第３ソース電極１７３ｃと第３ドレイン電極１７５ｃとの間で第３ソース電極１７３ｃ及び第３ドレイン電極１７５ｃにより覆われずに露出した部分がある。
【００９５】
データ導電体１７１、１７３ｈ、１７３ｌ、１７３ｃ、１７５ｈ、１７５ｌ、１７５ｃ及び各ソース電極１７３ｈ/１７３ｌ/１７３ｃと各ドレイン電極１７５ｈ/１７５ｌ/１７５ｃとの間に露出されている半導体１５４ｈ、１５４ｌ、１５４ｃの上には保護膜１８０が形成されている。保護膜１８０は、有機絶縁物質または無機絶縁物質からなってもよく、単一膜または多重膜で形成されてもよい。
【００９６】
保護膜１８０の上には各画素領域ＰＸ内にカラーフィルタ２３０が形成されている。各カラーフィルタ２３０は赤色、緑色、及び青色の三原色など原色（ｐｒｉｍａｒｙ  ｃｏｌｏｒ）のうちの一つを表示することができる。カラーフィルタ２３０は赤色、緑色、及び青色の三原色に限定されず、青緑色（ｃｙａｎ）、紫紅色（ｍａｇｅｎｔａ）、イエロー（ｙｅｌｌｏｗ）、ホワイト系の色などを表示することもできる。図示したこととは異なって、カラーフィルタ２３０は隣接するデータ線１７１の間に沿って列方向に長く延在してもよい。
【００９７】
隣接するカラーフィルタ２３０の間の領域には遮光部材２２０が形成されている。遮光部材２２０は画素領域ＰＸの境界部と薄膜トランジスタの上に形成されて、光漏れを防止することができる。カラーフィルタ２３０は各第１副画素領域ＰＸａと第２副画素領域ＰＸｂに形成され、第１副画素領域ＰＸａと第２副画素領域ＰＸｂとの間には遮光部材２２０が形成されてもよい。
【００９８】
遮光部材２２０は、ゲート線１２１及び減圧ゲート線１２３に沿って延在して上下に拡張されており、第１薄膜トランジスタＱｈ、第２薄膜トランジスタＱｌ、及び第３薄膜トランジスタＱｃなどが位置する領域を覆う横遮光部材２２０ａと、データ線１７１に沿って延在している縦遮光部材２２０ｂとを含む。つまり、横遮光部材２２０ａは第１谷間Ｖ１に形成され、縦遮光部材２２０ｂは第２谷間Ｖ２に形成されてもよい。カラーフィルタ２３０と遮光部材２２０は一部領域で互いに重なってもよい。
【００９９】
カラーフィルタ２３０及び遮光部材２２０の上には第１絶縁層２４０がさらに形成されてもよい。第１絶縁層２４０はシリコン窒化物（ＳｉＮｘ）、シリコン酸化物（ＳｉＯｘ）、シリコン窒化酸化物（ＳｉＯｘＮｙ）などのような無機絶縁物質から形成されてもよい。第１絶縁層２４０は、有機物質からなるカラーフィルタ２３０及び遮光部材２２０を保護する役割を果たし、必要に応じて省略可能である。
【０１００】
第１絶縁層２４０、遮光部材２２０、保護膜１８０には、第１ドレイン電極１７５ｈの広い端部と第２ドレイン電極１７５ｌの広い端部をそれぞれ露出する複数の第１コンタクトホール１８５ｈ及び複数の第２コンタクトホール１８５ｌが形成されている。
【０１０１】
第１絶縁層２４０の上には画素電極１９１が形成されている。画素電極１９１はインジウム−スズ酸化物（ＩＴＯ、Ｉｎｄｉｕｍ  Ｔｉｎ  Ｏｘｉｄｅ）、インジウム−亜鉛酸化物（ＩＺＯ、Ｉｎｄｉｕｍ  Ｚｉｎｃ  Ｏｘｉｄｅ）などのような透明な金属物質で形成されてもよい。
【０１０２】
画素電極１９１は、ゲート線１２１及び減圧ゲート線１２３を介して互いに分離されて、ゲート線１２１及び減圧ゲート線１２３を中心に画素領域ＰＸの上と下に配置されて、列方向に隣接する第１副画素電極１９１ｈと第２副画素電極１９１ｌを含む。つまり、第１副画素電極１９１ｈと第２副画素電極１９１ｌは第１谷間Ｖ１を介して分離されており、第１副画素電極１９１ｈは第１副画素領域ＰＸａに位置し、第２副画素電極１９１ｌは第２副画素領域ＰＸｂに位置する。
【０１０３】
第１副画素電極１９１ｈ及び第２副画素電極１９１ｌは、第１コンタクトホール１８５ｈ及び第２コンタクトホール１８５ｌを通じてそれぞれ第１ドレイン電極１７５ｈ及び第２ドレイン電極１７５ｌと連結されている。したがって、第１薄膜トランジスタＱｈ及び第２薄膜トランジスタＱｌがオンの状態のとき、第１ドレイン電極１７５ｈ及び第２ドレイン電極１７５ｌからデータ電圧の印加を受ける。
【０１０４】
第１副画素電極１９１ｈ及び第２副画素電極１９１ｌそれぞれの全体的な形状は四角形であり、第１副画素電極１９１ｈ及び第２副画素電極１９１ｌそれぞれは横幹部１９３ｈ、１９３ｌ、及び横幹部１９３ｈ、１９３ｌと交差する縦幹部１９２ｈ、１９２ｌで形成される十字型幹部を含む。また、第１副画素電極１９１ｈ及び第２副画素電極１９１ｌはそれぞれ、複数の微細枝部１９４ｈ、１９４ｌ、副画素電極１９１ｈ、１９１ｌの周縁辺で下または上に突出した突出部１９７ｈ、１９７ｌを含む。
【０１０５】
画素電極１９１は、横幹部１９３ｈ、１９３ｌと縦幹部１９２ｈ、１９２ｌによって４つの副領域に分かれる。微細枝部１９４ｈ、１９４ｌは横幹部１９３ｈ、１９３ｌ及び縦幹部１９２ｈ、１９２ｌから斜めに延在しており、その延在する方向はゲート線１２１または横幹部１９３ｈ、１９３ｌと約４５°または１３５°の角をなしてもよい。また、隣接する二つの副領域の微細枝部１９４ｈ、１９４ｌが延在している方向は互いに直交してもよい。
【０１０６】
本実施形態において、第１副画素電極１９１ｈは外郭を取り囲む外郭幹部をさらに含み、第２副画素電極１９１ｌは、上端及び下端に位置する横部、及び第１副画素電極１９１ｈの左右に位置する左右縦部１９８をさらに含む。左右縦部１９８は、データ線１７１と第１副画素電極１９１ｈとの間の容量性結合、つまり、カップリングを防止することができる。
【０１０７】
上述した画素領域の配置形態、薄膜トランジスタの構造及び画素電極の形状は一例に過ぎず、本発明はこれに限定されず、多様な変形が可能である。
【０１０８】
画素電極１９１の上には画素電極１９１から所定の距離を有して離隔するように共通電極２７０が形成されている。画素電極１９１と共通電極２７０の間には微細空間（ｍｉｃｒｏｃａｖｉｔｙ）３０５が形成されている。つまり、微細空間３０５は画素電極１９１及び共通電極２７０によって取り囲まれている。微細空間３０５の幅と広さは表示装置のサイズ及び解像度によって多様に変更可能である。
【０１０９】
共通電極２７０は、インジウム−スズ酸化物（ＩＴＯ、Ｉｎｄｉｕｍ  Ｔｉｎ  Ｏｘｉｄｅ）、インジウム−亜鉛酸化物（ＩＺＯ、Ｉｎｄｉｕｍ  Ｚｉｎｃ  Ｏｘｉｄｅ）などのような透明な金属物質で形成されてもよい。共通電極２７０には一定の電圧が印加され得、画素電極１９１と共通電極２７０の間に電界が形成され得る。
【０１１０】
画素電極１９１の上には第１配向膜１１が形成されている。第１配向膜１１は画素電極１９１により覆われていない第１絶縁層２４０のすぐ上にも形成され得る。
【０１１１】
第１配向膜１１と対向するように共通電極２７０の下には第２配向膜２１が形成されている。
【０１１２】
第１配向膜１１と第２配向膜２１は垂直配向膜で形成されてもよく、ポリアミド酸（Ｐｏｌｙａｍｉｃ  ａｃｉｄ）、ポリシロキサン（Ｐｏｌｙｓｉｌｏｘａｎｅ）、ポリイミド（Ｐｏｌｙｉｍｉｄｅ）などの配向物質からなってもよい。第１配向膜１１及び第２配向膜２１は画素領域ＰＸの周縁で互いに連結されてもよい。
【０１１３】
画素電極１９１と共通電極２７０の間に位置した微細空間３０５内には液晶分子３１０からなる液晶層が形成されている。液晶分子３１０は負の誘電率異方性を有し、電界が印加されない状態で基板１１０に垂直方向に立ち得る。つまり、垂直配向が行われ得る。
データ電圧が印加された第１副画素電極１９１ｈ及び第２副画素電極１９１ｌは共通電極２７０と共に電界を生成することによって、二つの電極１９１、２７０の間の微細空間３０５内に位置した液晶分子３１０の方向を決定する。このように決められた液晶分子３１０の方向により液晶層を通過する光の輝度が変化する。
【０１１４】
共通電極２７０の上には第２絶縁層３５０がさらに形成されてもよい。第２絶縁層３５０はシリコン窒化物（ＳｉＮｘ）、シリコン酸化物（ＳｉＯｘ）、シリコン窒化酸化物（ＳｉＯｘＮｙ）などのような無機絶縁物質からなってもよく、必要に応じて省略可能である。
【０１１５】
第２絶縁層３５０の上には屋根層３６０が形成されている。屋根層３６０は有機物質からなってもよい。屋根層３６０の下には微細空間３０５が形成されており、屋根層３６０は硬化工程によって固くなって微細空間３０５の形状を保持することができる。つまり、屋根層３６０は画素電極１９１と微細空間３０５を介して離隔するように形成されている。このことから、屋根層３６０は、画素電極１９１から離隔して画素電極１９１と微細空間３０５を形成する役割を果たす。すなわち、本実施形態の液晶表示装置は、下部の基板１１０と対向する上部の基板が存在しない。その上部の基板の代わりに屋根層３６０が下部の基板１１０の全体を覆って液晶層が注入された微細空間３０５を形成する。
【０１１６】
屋根層３６０は画素行に沿って各画素領域ＰＸ及び第２谷間Ｖ２に形成され、第１谷間Ｖ１には形成されない。つまり、屋根層３６０は第１副画素領域ＰＸａと第２副画素領域ＰＸｂとの間には形成されない。各第１副画素領域ＰＸａと第２副画素領域ＰＸｂでは各屋根層３６０の下に微細空間３０５が形成されている。第２谷間Ｖ２では屋根層３６０の下に微細空間３０５が形成されず、基板１１０に付着するように形成されている。したがって、第２谷間Ｖ２に位置する屋根層３６０の厚さが各第１副画素領域ＰＸａ及び第２副画素領域ＰＸｂに位置する屋根層３６０の厚さより厚く形成されてもよい。微細空間３０５の上部面及び両側面は屋根層３６０によって覆われている形態に形成される。
【０１１７】
共通電極２７０、第２絶縁層３５０、及び屋根層３６０には微細空間３０５の一部を露出させる注入口３０７が形成されている。注入口３０７は第１副画素領域ＰＸａと第２副画素領域ＰＸｂの周縁に互いに対向するように形成されてもよい。つまり、注入口３０７は第１副画素領域ＰＸａの下側辺、第２副画素領域ＰＸｂの上側辺に対応して、微細空間３０５の側面を露出させるように形成されてもよい。注入口３０７によって微細空間３０５が露出しているので、注入口３０７を通じて微細空間３０５の内部に配向液または液晶物質などを注入することができる。
【０１１８】
屋根層３６０の上には第３絶縁層３７０がさらに形成されてもよい。第３絶縁層３７０はシリコン窒化物（ＳｉＮｘ）、シリコン酸化物（ＳｉＯｘ）、シリコン窒化酸化物（ＳｉＯｘＮｙ）などのような無機絶縁物質からなってもよい。第３絶縁層３７０は屋根層３６０の上部面及び側面を覆うように形成されてもよい。第３絶縁層３７０は有機物質からなる屋根層３６０を保護する役割を果たす。
【０１１９】
上記で屋根層３６０の上に第３絶縁層３７０が形成されている構造について説明したが、本発明はこれに限定されず、第３絶縁層３７０は省略可能である。
【０１２０】
第３絶縁層３７０の上には蓋膜３９０(ｏｖｅｒｃｏａｔ)が形成されてもよい。蓋膜３９０は、微細空間３０５をキャッピング（ｃａｐｐｉｎｇ）する役割を果たす。微細空間３０５に液晶物質を注入するために注入口３０７が形成されるが、蓋膜３９０は、このような注入口３０７を塞ぐものである。蓋膜３９０は微細空間３０５の一部を外部に露出させる注入口３０７を覆うように形成される。つまり、蓋膜３９０は微細空間３０５の内部に形成されている液晶分子３１０が外部に出ないように微細空間３０５を密封することができる。蓋膜３９０は液晶分子３１０と接触するようになるため、液晶分子３１０と反応しない物質からなるのが好ましい。例えば、蓋膜３９０はパリレン（Ｐａｒｙｌｅｎｅ）などから形成されてもよい。
【０１２１】
蓋膜３９０は、二重膜、三重膜などのように多重膜で形成されてもよい。二重膜は互いに異なる物質からなる二つの層で形成されている。三重膜は三つの層で形成されて、互いに隣接する層の物質が異なる。例えば、蓋膜３９０は有機絶縁物質からなる層と無機絶縁物質からなる層を含んでもよい。
【０１２２】
図示は省略したが、表示装置の上下部面には偏光板がさらに形成されてもよい。偏光板は第１偏光板及び第２偏光板で形成されてもよい。第１偏光板は基板１１０の下部面に付着し、第２偏光板は蓋膜３９０の上に付着してもよい。
【０１２３】
以上、本発明の好ましい実施形態について詳細に説明したが、本発明の権利範囲はこれに限定されず、次の特許請求の範囲で定義している本発明の基本概念を利用した当業者の種々の変形及び改良形態も本発明の権利範囲に属する。
【符号の説明】
【０１２４】
１１  第１配向膜
２１  第２配向膜
１００  液晶表示パネル
１１０  基板
１２１  ゲート線
１２３  減圧ゲート線
１２４ｈ  第１ゲート電極
１２４ｌ  第２ゲート電極
１２４ｃ  第３ゲート電極
１３１  維持電極線
１４０  ゲート絶縁膜
１５４ｈ  第１半導体
１５４ｌ  第２半導体
１５４ｃ  第３半導体
１７１  データ線
１７３ｈ  第１ソース電極
１７３ｌ  第２ソース電極
１７３ｃ  第３ソース電極
１７５ｈ  第１ドレイン電極
１７５ｌ  第２ドレイン電極
１７５ｃ  第３ドレイン電極
１８０  保護膜
１９１  画素電極
１９１ｈ  第１副画素電極
１９１ｌ  第２副画素電極
２２０  遮光部材
２３０  カラーフィルタ
２４０  第１絶縁層
２７０  共通電極
３００  犠牲層
３０５  微細空間
３０７  注入口
３１０  液晶分子
３５０  第２絶縁層
３６０  屋根層
３７０  第３絶縁層
３９０  蓋膜
４００  収納部
４１０  固定突起
５００  固定フレーム
４２０  開口部
４３０  第２収納部
５１０  補強部
５２０  角部補強部
５３０  横型静電気防止部
５３１  縦型静電気防止部
５３２  円形静電気防止部
６１０  ボトムシャーシ
６２０  トップシャーシ
【図１】
0006685729.tif 000002
【図２Ａ】
0006685729.tif 000003
【図２Ｂ】
0006685729.tif 000004
【図３】
0006685729.tif 000005
【図４】
0006685729.tif 000006
【図５】
0006685729.tif 000007
【図６】
0006685729.tif 000008
【図７】
0006685729.tif 000009
【図８】
0006685729.tif 000010
【図９】
0006685729.tif 000011
【図１０】
0006685729.tif 000012
【図１１】
0006685729.tif 000013
【図１２】
0006685729.tif 000014
【図１３】
0006685729.tif 000015
【図１４Ａ】
0006685729.tif 000016
【図１４Ｂ】
0006685729.tif 000017
【図１４Ｃ】
0006685729.tif 000018
【図１５Ａ】
0006685729.tif 000019
【図１５Ｂ】
0006685729.tif 000020
【図１５Ｃ】
0006685729.tif 000021
【図１６】
0006685729.tif 000022
【図１７】
0006685729.tif 000023
【図１８】
0006685729.tif 000024
【図１９】
0006685729.tif 000025